(57)【要約】【課題】爪先の足甲側の爪先目増やし部をゆったりとさせ、また踵も踵目減らし部に余裕をもった靴下とその製造方法を提供する。【解決手段】踵と爪先を有する靴下において、該踵は踵目減らし部を踵目増やし部より多い編目にして、その間の踵ゴア・ラインを曲線状に形成させ、一方前記爪先目減らし部より爪先目増やし部を多い編目にして、その間の爪先ゴア・ラインを曲線状に形成させた靴下と、また踵と爪先を編成した靴下の製造方法において、該踵は踵針上げ部分を踵針下げ部分より多い編コースにして、その間の踵ゴア・ラインを曲線状に形成させ、一方前記爪先針上げ部分Ｇ〜Ｈより爪先針下げ部分Ｈ〜Ｉを多い編コースにして、その間の爪先ゴア・ラインを曲線状に形成させた靴下の製造方法を構成するものである。【選択図】図４
2006028713.tif 000002
【特許請求の範囲】
【請求項１】
踵部と爪先部を有する靴下において、該踵部は踵目減らし部を踵目増やし部より多い編目に編成して、その間の踵ゴア・ラインを曲線状に形成させ、前記爪先部は爪先目減らし部より爪先目増やし部を多い編目に編成して、その間の爪先ゴア・ラインを曲線状に形成させたことを特徴とする靴下。
【請求項２】
踵部と爪先部を編成した靴下の製造方法において、該踵部は踵針上げ部分を踵針下げ部分より多い編コースに編成して、その間の踵ゴア・ラインを曲線状に形成させ、一方前記爪先部は爪先針上げ部分より爪先針下げ部分を多い編コースに編成して、その間の爪先ゴア・ラインを曲線状に形成させたことを特徴とする靴下の製造方法。
【請求項３】
爪先目減らし部または爪先針上げ部分の直前の編地に、ハイヒール編を挿入して余裕をもたせ、その分爪先目減らし部または爪先針上げ部分の編地を少なくした請求項１または２記載の靴下とその製造方法。
【請求項４】
踵針上げ部分を、シリンダの正逆往復回転による針上げピッカの作動３回に対し、下げドロッパを１回作動させるようにした請求項２記載の靴下の製造方法。
【請求項５】
爪先針下げ部分を、シリンダの正逆往復回転による針下げドロッパの作動を、２回に１回休止させるようにした請求項２記載の靴下の製造方法。
【請求項６】
踵ゴア・ラインと爪先ゴア・ラインの先端数コースを、針下げドロッパを通常の作動にして、先端に耐久性をもたせた請求項１または２記載の靴下とその製造方法。
【発明の詳細な説明】
【技術分野】
【０００１】
本発明は、靴下とその製造方法に係り、更に詳しくは踵や爪先を締め付けないよう、ゆったりと余裕をもたせた靴下とその製造方法に関するものである。
【背景技術】
【０００２】
靴下の寸法は、図５のように、例えばサイズ丈（１００）が２５．５cmであれば、ソ−ル幅（１０１）は８．８cmと決まっている。従って、ソ−ル幅（１０１）の大きな靴下を選択すれば、サイズ丈（１００）が長くなってしまう。ところが人間の足は、親指の付け根の足骨と五本の指が、横に広がっている。しかし、靴下の爪先（１０２）は、ソール幅（１０１）から逆に円弧状に縮小している。そのため、靴下を履くと、爪先（１０２）が窮屈であるとの苦情が寄せられているが、これに対する対策は従来から全くなされてこなかった。特に、べた足の人やＯ脚の婦人やスポ−ツ選手から、爪先や踵の幅を広くし、ゆったりとした履きやすい靴下が所望されている。
【０００３】
踵部と爪先部の編成は、筒編の一方に袋状の編地を形成するもので、図６のシリンダ（１０３）の半周にある長バットニードル（１０４）を非編成レベルに、図７の上げスイッチ・カム（１０５）によって上げ、残る半周の短バットニードル（１０６）にて、図８［１］［２］［３］によるシリンダ（１０３）の正逆往復回転（１０７）の編成範囲の変化により、図９の針上げピッカ（１０８）及び図１０の針下げドロッパ（１０９）による目減らしや目増やしを行いながら踵部及び爪先部を編成する。
【０００４】
図５における袋部分が踵部（１１０）及び爪先部（１０２）であり、図９の針上げピッカ（１０８）と図１０の針下げドロッパ（１０９）によって目減らしと目増やしした境目のラインが、図５の踵ゴア・ライン（１１１）と爪先ゴア・ライン（１１２）であって、通常は図５のように直線状に形成され、この目数が１ニードルの上げ下げの数になる。
【０００５】
踵部及び爪先部の編成時、シリンダの回転がフレーム内部の図１１のクラッチ・ドラムのカム（１１３）により、クラッチ・フォーク（１１４）を介してメイン・シャフト（１１５）のクラッチ（１１６）を左方に移し、正回転から正逆往復回転（１０７）に切り替えられる。この際に、図７に示すように、上げスイッチ・カム（１０５）によって長バットニードル（１０４）を非編成レベルに上げる。これは、上げスイッチ・カム（１０５）がシリンダ（１０３）面に対し、図６に示すように、短バットニードル（１０６）を通過させ、長バットニードル（１０４）のみ作用させてセンター・カムの上面レベルに上げるからである。
【０００６】
図８の［１］は、先ず短バット・ニードール（１０６）が全て編成されるが、シリンダの正逆往復回転（１０７）に伴って、針上げピッカにより短バット・ニードル（１０６）を左右交互に長バット・ニードル（１０４）と同じレベルに上げ、短バット・ニードル（１０６）による編成範囲を狭くして目減らし作用を始め、図８の［２］の状態に推移する。そして図８の［２］の状態から、針下げを作用せしめて再び編成範囲を広げて目増やし作用をし、図８の［３］の状態に至って踵部及び爪先部の編成を終了する。そして踵部及び爪先部の編成終了後、シリンダはクラッチの作用で元の正回転に戻るようになっている。
【０００７】
針上げピッカはシリンダが正逆の往復回転中、左右両回転に対し、１回転毎に編成レベルのニードルを上部の非編成レベルに上げ、目減らしの役を果たす。針上げピッカ（１０８）は図９に示す通り、左右度山の上部凹所に入り、ニードル１本目のバッ１０６に押されることによって、針上げピッカ（１０８）自体がそのフックにニードルのバット１枚を持ち、カムの斜面を滑ってセンター・カムの上部レベルに運ぶものである。
【０００８】
一方、針下げは図９に示す通り、シリンダの正逆往復回転中、左右両回転に対し、１回転毎に休止レベルのニードルを各２本宛下げ、ドロッパ（１０９）で編成レベルに下げ、目増やしの役を果たす。
【０００９】
針上げ、即ち目減らしの工程ではニードルを編成しないように、針上げピッカにてニードル各１本宛、休止レベルに上げて目減らしとなるが、針下げ、即ち目増しの工程では、針上げにより１本宛休止レベルに上げながら、針下げにてニードルを各２本宛編成レベルに下げるため、差し引き各１本宛の目増やしができることになる。
【００１０】
次の図１２は、従来の靴下の踵部の設計図である。横軸は、１コース当たりの編目数で、本例の場合は６０目になっている。そして、縦軸が編立てコースで、×が編目を示している。右の３本の縦欄の中、一番左の欄（１１７）が、編機が正転か逆転かを示し、△のコースが正転を、▼のコースが逆転を示している。真中の欄（１１８）は、針上げピッ１１３の作動状態を示し、○が作動を、−が休止を示している。一番右の欄（１１９）は、針下げド１０１ッパの作動状態を示し、○が作動を、−が休止を示している。
【００１１】
図１２の設計図は、図５の靴下に対応している。ａからｂは踵に入る前の普通編成であって、全周正回転で針上げピッ１１３と針下げド１０１ッパは休止している。ｂからｃは、半周の正逆往復回転に入り、針上げピッ１１３を作用させた踵目減らし部を示し、ｃは踵ゴア・ラインである。ｃからｄは、半周の正逆往復回転を続け、針上げピッカと針下げドロッパを作用させた踵目増やし部を示す。従って、従来の靴下の踵は、ｂからｃのコース目と、ｃからｄのコース目が同数で、設計図は規則的な外郭線を示している。
【００１２】
また図１３は、従来の靴下の爪先の設計図である。図１２と同様に、横軸は、１コース当たりの編目数で、本例の場合は６０目になっている。そして縦軸が編立てコースで、×が編目を示している。右の３本の縦欄の中、一番左の欄（１１７）が、編機が正転か逆転かを示し、△のコースが正転を、▼のコースが逆転を示している。真中の欄（１１８）は、針上げピッカの作動状態を示し、○が作動を、−が休止を示している。一番右の欄（１１９）は、針下げドロッパの作動状態を示し、○が作動を、−が休止を示している。
【００１３】
図１３の設計図も、図５の靴下に対応している。ｅからｇは爪先に入る前の普通編成であって、全周正回転で針上げピッカと針下げドロッパは休止している。ｇからｈは、半周の正逆往復回転に入り、針上げピッカを作用させた爪先目減らし部を示し、ｈは爪先ゴア・ラインである。ｈからｉは、半周の正逆往復回転を続け、針上げピッカと針下げドロッパを作用させた爪先目増やし部を示す。従って従来の靴下の爪先は、ｇからｈのコース目と、ｈからｉのコース目が同数で、設計図は規則的な外郭線を示している。
【００１４】
靴下に余裕をもたせるために襠を入れる例としては、シームレスの爪先に襠を入れたガセット・トウの先行技術がある。しかし、このガセッと・とうは、最初針上げで適当なコース目数を減らし、次に一挙に減らした数だけ目数を編成コースに引き下げカムで戻し、再度適当コースだけ目数を針上げピッカで減らして襠（ガセット）を作るというものである。
【００１５】
また足の親指は他の指より太いので、靴下の爪先をこの形状に合わせ、親指側に膨らみをもたせた襠部を形成させ、親指側に偏った例えば特許文献１のような、非対象形の靴下も提案されている。
【特許文献１】特開２００３−８２５０２号公報
【００１６】
さらに踵周りに余裕をもたせた靴下として、特許文献２が開示されている。特許文献２は、踵の両三角状編増部（針上げピッカと針下げドロッパによる目減らしと目増やし部のこと）の間に帯状編増部と、両三角状編増部に至る僅かな部分とを設けている。この帯状編増部と僅かな部分とは、全周コースと半周コースを交互に編成したもので、これによって踵周りに余裕をもたせるというものである。
【特許文献２】特公昭３９−１４２６７号公報
【００１７】
更にまた、従来の踵と爪先は袋状に編成するため、編み立ての際に往復運動となっていたので、能率が低下していたとして、全回転運動によって編み立てた靴下が提案されている。特許文献３は、一周コース間に、短い複数本のコース群を入れて、ふくらみをもって湾曲させ、また特許文献４は、一周コースより短いコースの長さを順次幅を狭くした後、再び幅を広くし、そのコース両端部を相互に交錯させて、ふくらみをもって湾曲させるようにしたものであり、共に短いコース群の末端は切断するようにしたものである。
【特許文献３】特公昭４８−１３３８３号公報
【特許文献４】特公昭４８−１３６２４号公報
【発明の開示】
【発明が解決しようとする課題】
【００１８】
上記の事情に鑑み、本発明が解決しようとする問題点は、爪先部の足甲側の爪先目増やし部をゆったりとさせ、また踵部も踵目減らし部に余裕をもった靴下とその製造方法の提供を課題とする。
【課題を解決するための手段】
【００１９】
上記課題を達成するために本発明は、踵部と爪先部を有する靴下において、該踵部は踵目減らし部を踵目増やし部より多い編目に編成して、その間の踵ゴア・ラインを曲線状に形成させ、一方前記爪先部は爪先目減らし部より爪先目増やし部を多い編目に編成して、その間の爪先ゴア・ラインを曲線状に形成させた靴下を構成するものである。
【００２０】
また本発明は、踵部と爪先部を編成した靴下の製造方法において、該踵部は踵針上げ部分を踵針下げ部分より多い編コースに編成して、その間の踵ゴア・ラインを曲線状に形成させ、一方前記爪先部は爪先針上げ部分より爪先針下げ部分を多い編コースに編成して、その間の爪先ゴア・ラインを曲線状に形成させた靴下の製造方法を構成するものである。
【発明の効果】
【００２１】
本発明の靴下は、爪先上部の足甲側を広くしたので、指先の窮屈感がなくなり、爪先にゆとりと解放感が確保でき、リラックスした履きやすい靴下となる。
【００２２】
本発明の靴下は、踵の方も、踵の上部を広くしたので、踵が引きつることなく、足に副って、深くゆったりとした履き心地のよい靴下となる。
【００２３】
本発明の靴下は、踵と爪先の先端部分を、数コース針下げピッカを通常の状態にしているので、ゴア・ラインの耐久性を向上させている。
【発明を実施するための最良の形態】
【００２４】
次に本発明の実施例を、以下図面に基づいて説明する。
【実施例１】
【００２５】
図１は、本発明による婦人用の靴下の平面図である。靴下１は、口ゴム部２より編み始め、身部３を経て踵部４から足部５へ、そして爪先部６を編成し、縫合７して仕上げられる。踵部４は、踵目減らし部４ａと、踵目増やし部４ｂとからなり、この間に踵ゴア・ライン８ａを形成している。踵ゴア・ライン８ａは、本発明の場合、Ｊ字のように曲線状に形成され、踵目減らし部４ａは、踵目増やし部４ｂより多い編目からなっている。
【００２６】
爪先部６は、爪先目減らし部６ａと、爪先目増やし部６ｂとからなり、この間に爪先ゴア・ライン８ｂを形成している。爪先ゴア・ライン８ｂは、本発明の場合、Ｃ字のように曲線状に形成され、爪先目減らし部６ａより、爪先目増やし部６ｂを多い編目に編成している。また爪先目減らし部６ａ直前の編地に、ハイヒール編９を入れている。ハイヒール編９とは、シリンダの半周より少なめの編成範囲から正逆往復回転を始め、コース毎に上げピッカとともに下げドロッパを作用させて編成範囲を半周まで戻した、余裕をもたせた襠の編地のことであり、その分、爪先目減らし部６ａは小さくなっている。
【実施例２】
【００２７】
図２は本発明による紳士用の靴下の平面図である。本実施例の靴下は、永田精機株式会社製のコンピュ−タ自動靴下編機Ｒ２００の、針数１２０本、ゲ−ジ数２４、シリンダ４吋径を使用して編成したものである。編糸は、表糸に三菱レイヨン株式会社製のキトサン練り込み抗菌防臭加工糸で、綿５０％とアクリル繊維５０％の混紡糸からなる、３２番手双糸の２本使いを使用した。また裏糸は、オリオン産業株式会社より３０／７５番手のセロサ（商標）を購入して使用した。そしてゴム糸は、丸一産業株式会社よりＳＴ６６００を購入して使用した。以上は一例であって、機械や編糸の種類や番手が、これに限定されるものではない。
【００２８】
図３は同靴下の踵部の設計図であり、図４は同靴下の爪先部の設計図である。図３と図４の横軸は、１コース当たりの編目数で、本実施例の場合は６０目になっている。そして、縦軸が編立てコースで、×が編目を示している。右の３本の縦欄の中、一番左の欄２０が、編機が正転か逆転かを示し、△のコースが正転を、▼のコースが逆転を示している。真中の欄２１は、針上げピッカの作動状態を示し、○が作動を、−が休止を示している。一番右の欄２２は、針下げドロッパの作動状態を示し、○が作動を、−が休止を示している。
【００２９】
ＡからＢは踵部に入る前の普通の編成であって、全周正回転で針上げピッカと針下げドロッパは休止している。靴下１１の踵はＢからＤの間の１４で、ＢからＣは、半周の正逆往復回転に入り、針上げピッカを作用させた踵目減らし部１４である踵針上げ部分を示し、Ｃは踵ゴア・ライン１８ａである。そしてＣからＤは、半周の正逆往復回転を続け、針上げピッカと針下げドロッパを作用させた踵目増やし部１４ｂである踵針下げ部分を示す。従って本発明の靴下の踵部１４は、ＢからＣのコース目が、ＣからＤのコース目より多く、多い編目のものとなっている。そのため、踵ゴア・ライン１８ａは、本発明の場合、Ｊ字のように曲線状に形成されている。
【００３０】
具体的には図３において、Ｂの位置からＣの位置までの踵針上げ部分１４ａでは、針上げピッカを作動させて、最初のコースは正回転にて右で１目減らし、次のコースは逆回転にて左で１目減らすのを繰り返す。この往復を３回繰り返した時点で、次の往復は下げドロッパを１回作動させて編成範囲を１目、広く元に戻すようにしている。そのためＢからＣの外郭線は左右ともジグザクになり、ＢからＣのコース目はＣからＤのコース目より多くなって、踵針下げ部分からなる踵目増やし部１４ｂより、踵針上げ部分からなる踵目減らし部１４ａが多い編目で、ゆとりをもたせるようにしている。
【００３１】
これに対してＣからＤは、普通の編成方法である。そのため踵ゴア・ライン１８ａは、左右の編目が相違するために直線状にはならず、曲線状に湾曲して形成される。なお踵ゴア・ライン１８ａの先端数コース２３だけは、下げドロッパを休止から作動と、通常の作動状態にしている。これは、踵ゴア・ライン１８ａの先端数コース２３に、耐久性をもたせるためである。
【００３２】
次に図２において、爪先部は１６で、爪先目減らし部１６ａと、爪先目増やし部１６ｂとからなり、この間に爪先ゴア・ライン１８ｂが形成されている。そして爪先目減らし部１６ａ直前の編地には、ハイヒール編１９を入れている。ハイヒール編１９とは、余裕をもたせた襠の編地のことであり、その分、爪先目減らし部１６ａは小さくなっている。
【００３３】
図４において、ＥからＦは爪先に入る前の普通の編成であって、全周正回転で針上げピッカと針下げドロッパは休止している。Ｆの位置からＧの位置までがハイヒール編１９で、一旦シリンダの半周より少なめの編成範囲から正逆往復回転で編み始め、コース毎に上げピッカとともに下げドロッパも作用させて編成範囲を半周まで戻す。即ち正逆回転で編成して、右端と左端で１目づつ増やして半周の編成範囲まで戻して編地に襠を入れ余裕をもたせたものである。
【００３４】
Ｇの位置で半周の編成範囲に戻った編地は、次にＧからＨの爪先目減らし部からなる爪先針上げ部分１６ａに入る。ＧからＨは、半周の正逆往復回転から、針上げピッ１化を作用させ針下げドロッパを休止した通常の編成方法で、爪先目減らし部１６ａである爪先針上げ部分を編成する。なおこの爪先目減らし部１６ａは、ハイヒール編１９の分だけ、編目数が小さくなっている。
【００３５】
次の爪先目増やし部１６ｂとなる爪先針下げ部分では、針上げピッカと針下げドロッパを作動させて、正逆の往復回転に対して１目づつ増やすが、２回に１回は針下げドロッパを休止させて編目を戻して減らすようにしている。そのためＨからＩの外郭線は左右ともジグザクになり、ＨからＩのコース目はＦからＨのコース目より多く、爪先目増やし部１６ｂを爪先目減らし部１６ａより多い編目になって、ゆったりと余裕をもたせている。なお爪先ゴア・ライン１８ｂは、本発明の場合、Ｃ字のように曲線状に形成されている。また爪先ゴア・ライ１８ｂの先端数コース２３だけは、下げドロッパを休止から作動させて、通常の作動状態にしている。これは、踵ゴア・ライン１８ａの先端数コース２３に、耐久性をもたせるためである。
【産業上の利用可能性】
【００３６】
本発明の靴下は、指先や踵が詰まって窮屈だった従来の靴下に比べ、幅広くゆったりと余裕をもたせたので、一般の靴下は勿論、べた足の人や運動選手その他の靴下としてに広く利用しうるものである。
【図面の簡単な説明】
【００３７】
【図１】本発明による婦人用の靴下の平面図である。
【図２】本発明による紳士用の靴下の平面図である。
【図３】本発明の靴下の踵の設計図である。
【図４】本発明の靴下の爪先の設計図である。
【図５】サイズ等を説明するための従来の靴下の平面図である。
【図６】カムと長短バット・ニードルとの関係を示す説明図である。
【図７】カムと長短バット・ニードルとの関係を示す展開図である。
【図８】［１］［２］［３］は、編成範囲の順番を示す説明図である。
【図９】針上げピッチの昇程状態を示す説明図である。
【図１０】針下げドロッパの降程状態を示す説明図である。
【図１１】クラッチ・フォーク周りの斜視図である。
【図１２】従来の靴下の踵の設計図である。
【図１３】従来の靴下の爪先の設計図である。
【符号の説明】
【００３８】
１，１１      靴下      
２            口ゴム部      
３            身部
４，１４      踵部
４ａ，１４ａ  踵目減らし部
４ｂ，１４ｂ  踵目増やし部
５            足部
６，１６      爪先部
６ａ，１６ａ  爪先目減らし部
６ｂ，１６ｂ  爪先目増やし部
７            縫合
８ａ，１８ａ  踵ゴア・ライン
８ｂ，１８ｂ  爪先ゴア・ライン
９，１９      ハイヒール編
２３          ゴア・ラインの先端数コース
１００        サイズ丈
１０１        ソール幅
１０２        爪先
１０３        シリンダ
１０４        長バットニードル
１０５        スイッチ・カ３ム
１０６        短バットニードル
１０７        正逆往復回転
１０８        針上げピッカ
１０９        針下げドロッパ
１１０        踵
１１１        踵ゴア・ライン
１１２        爪先ゴア・ライン
１１３        クラッチ・ドラムのカム
１１４        クラッチ・フォーク
１１５        メイン・シャフト
１１６        クラッチ
２０，１１７  編機の正転と逆転
２１，１１８  針上げピッカ
２２，１１９  針下げドロッパ
２３          ゴア・ラインの先端数コース
Ａ，ａ        全周正回転の普通編成
Ｂ，ｂ        踵目減らし部の始まり
Ｃ，ｃ        踵ゴア・ライン
Ｄ，ｄ        踵目増やし部の終わり
Ｅ，ｅ        全周正回転の普通編成
Ｆ            ハイヒール編の始まり
Ｇ，ｇ        爪先目減らし部の始まり
Ｈ，ｈ        爪先ゴア・ライン
Ｉ，ｉ        爪先目増やし部の終わり
【図１】
2006028713.tif 000003
【図２】
2006028713.tif 000004
【図３】
2006028713.tif 000005
【図４】
2006028713.tif 000006
【図５】
2006028713.tif 000007
【図６】
2006028713.tif 000008
【図７】
2006028713.tif 000009
【図８】
2006028713.tif 000010
【図９】
2006028713.tif 000011
【図１０】
2006028713.tif 000012
【図１１】
2006028713.tif 000013
【図１２】
2006028713.tif 000014
【図１３】
2006028713.tif 000015